(57)【要約】【課題】  運搬時には軽量とし、使用時際して本体に相応の重量を備えて使用時の安定性を確保するようにしたテープカッターを提供する。【解決手段】  ロール状に巻回された粘着テープを装着したテープ支持部１を着脱自在に装着し、装着したテープ支持部１の前方に位置して、粘着テープの引き出し部分を切断するカッターを有する切断部３を設けた本体２を、一部又は全部を中空水密性で且つ透明に形成し、当該中空部分の適宜箇所に注水口２５１及び開閉蓋２５２からなる注水部２５を設け、本体底面適宜箇所に滑り止め部を設けてなる。【選択図】  図１
0003108757.tif 000002
【実用新案登録請求の範囲】
【請求項１】
ロール状に巻回された粘着テープを装着したテープ支持部を着脱自在に装着し、装着したテープ支持部の前方に位置して、粘着テープの引き出し部分を切断するカッターを有する切断部を設けた本体を、一部又は全部を中空水密性で且つ透明に形成し、当該中空部分の適宜箇所に注水口及び開閉蓋からなる注水部を設け、本体底面適宜箇所に滑り止め部を設けてなることを特徴とするテープカッター。
【請求項２】
本体が、テープ支持部の下方部分を納める収納溝を形成すると共に、前記テープ支持部を架設する両側壁部と、両側壁部の上面部の前方を一旦低くし収納溝の端縁で立ち上げて切断部を設けた前壁部とを備え、少なくとも前記両側壁部を中空とし且つ連通させると共に、側壁面の上面に凹部を形成し、凹部底面に注水部を設け、前記凹部に切手用海綿部を収納してなる請求項１記載のテープカッター。
【請求項３】
本体全体を透明体で形成し、切手用海綿部の収納凹部と反対側の側壁部の上面に凹部を形成し、当該凹部の底面に磁石を設けてなる請求項２記載のカッターテープ。
【請求項４】
本体側壁部に深い凹部で形成したペン立て部を設け、外壁部分に鉤状受板で形成した用紙差し込み保持部を設けてなる請求項２又は３記載のテープカッター。
【考案の詳細な説明】
【技術分野】
【０００１】
本考案は、卓上型テープカッターに関するものである。
【背景技術】
【０００２】
一般的に、卓上型テープカッターは、本体にテープ支持部と切断部とを備えたもので、テープ支持部は、ロール状に巻回された粘着テープを装着し、ロール状粘着テープを回転自在となるように本体に着脱可能に装着してなり、切断部は、前記テープ支持部の前方に位置し、粘着テープの引き出し部分を切断するカッターを設けたものである。
【０００３】
前記のテープカッターは、テープを引き出し切断部で切断する作業を片手で行うことができるよう、卓上での安定性が求められる。このため従前のカッターにおいては、カッター本体の内部に例えば鉄、鉄以外の金属、砂あるいはコンクリート等の重量物を充填して安定性を確保していた。
【０００４】
しかしカッター本体の内部に鉄やコンクリート等の重量物を充填するものは、製造の煩雑性、材料費のコスト、また運送コストの増大な問題がある。
【０００５】
そこで従前においては、本体底面に吸盤を設けること（特許文献１）、本体にクリップを設けること（特許文献２）、本体底面に滑り止め材を設けること（特許文献３）、本体底面に粘着部を設けること（特許文献４）などが提案されている。
【０００６】
【特許文献１】特開平１１−１２４２７４号公報。
【特許文献２】実開昭６３−７６７５９号公報。
【特許文献３】実開昭６０−４７７６２号公報。
【特許文献４】特開２００１−１９２６４号公報。
【考案の開示】
【考案が解決しようとする課題】
【０００７】
前記の本体の安定化対策は一長一短がある。例えば本体底面に吸盤を設ける手段は、吸盤が追加部材となり、且つ本体に吸盤を装着するので製造コストをアップさせると共に、吸盤の吸着可能な卓面に限定され、本体にクリップを設ける手段も取付対象が限定される。
【０００８】
また本体底面に滑り止め材を設ける手段は、安定性確保のために従前と同様の重量物の付加が必要であり、本体底面に粘着部を設ける手段は、経年変化に対応できない。
【０００９】
そこで本考案は、運搬時には軽量とし、使用に際して本体に相応の重量を備えさせるようにした新規のテープカッターを提案したものである。
【課題を解決するための手段】
【００１０】
本考案に係るテープカッターは、ロール状に巻回された粘着テープを装着したテープ支持部を着脱自在に装着し、装着したテープ支持部の前方に位置して、粘着テープの引き出し部分を切断するカッターを有する切断部を設けた本体を、一部又は全部を中空水密性で且つ透明に形成し、当該中空部分の適宜箇所に注水口及び開閉蓋からなる注水部を設け、本体底面適宜箇所に滑り止め部を設けてなることを特徴とするものである。
【００１１】
而して使用時に注水部から注水を行い、本体を相応の重量とすると、滑り止め材の摩擦抵抗も充分に発揮されることになり、安定性が確保される。
【考案の効果】
【００１２】
本考案の構成は上記の通りで、製造に際しては重量物の付加を必要とせずに、且つ運搬時も軽量のままで良いので、本体の安定性確保のための製造コストアップや運搬コストアップを必要としない。また使用に際しては本体に水を注入し、且つ本体の注水箇所が透明であるから、美感的にも優れた器具となる。
【考案を実施するための最良の形態】
【００１３】
次に本考案の実施形態について説明する。実施形態に示したテープカッターは、テープ支持部１と、本体２と、切断部３とで構成される。
【００１４】
テープ支持部１は、ロール状に巻回された粘着テープＡを装着するもので、テープＡの内周面に嵌合する周板部１１と、テープＡをロール周面方向へ移動回転するように本体２に装着するための回転軸１２とで構成される。
【００１５】
本体２は、全体が透明樹脂形成されると共に、中空で且つ水密に形成されたもので、中央に前記テープＡを装着した状態のテープ支持部１の下方部分が納められる大きさの収納溝２１が形成されるように、側壁部２２ａ，２２ｂと、後壁部２３と前壁部２４を備えてなる。尚中空形状の形成は、前記の側壁部２２ａ，２２ｂ、後壁部２３及び前壁部２４を一体に成形し、底板で底面を塞ぐようにすると容易に製出できる。
【００１６】
側壁部２２ａ，２２ｂは、上面が適宜な巾を有し、上面にて適宜な大きさ及び深さの凹部２２１ａ，２２１ｂを形成し、一方の凹部２２１ａの底面に注水口２５１及び開閉蓋２５２と密封パッキン２５３とからなる注水部２５を設けると共に、スポンジ体で形成した切手用海綿部２６の収納凹部として使用し、他方の凹部２２１ｂの底面には、磁石２２３を設けてクリップ収納部としてなる。
【００１７】
また側壁部２２ａ，２２ｂの上面の他の箇所に、深い凹部で形成したペン立て部２２４を設け、外壁部分に鉤状受板で形成した用紙差し込み保持部２２５を設けてなる。
【００１８】
更に側壁部２２ａ，２２ｂの収納溝２１に面する内面側に、回転軸１２を装着するＬ溝２２６を設けてなる。
【００１９】
前壁部２４は、両側壁部２２ａ，２２ｂの上面前方側が一旦低くなっている状態で収納溝２１の端縁において立ち上げて、頂部に切断部３を設けたものである。
【００２０】
また本体２の底面適宜数箇所に滑り止め材で形成した足部２７を設けている。
【００２１】
切断部３は、薄金属製で、前壁部２４の頂部を被覆するテープ受け部３１と、テープ受け部３１の前方に突出させた切断刃３２で構成されるものである。
【００２２】
而して前記のテープカッターは、本体２が中空体であるので全体として軽量であり、その運搬が容易で且つ運搬コストが低く抑えられることになる。そして使用に際しては、注水部２５の開閉蓋２５２を外し、注水口２５１から本体２の安定に必要とする重量を確保するための量の注水Ｂ（水道水でも着色水でもよい）を行い、注水後に開閉蓋２５２で注水口を密封し、卓上に載置すると共に、テープ支持部１にテープＡを装着して本体２に取り付ける。
【００２３】
従って本体２は卓上において相応の重量を備えることになり、テープＡを引き出しても本体２は足部２７の摩擦抵抗によって移動することなく安定状態となり、テープＡの引き出し及び切断が容易になされることになる。
【００２４】
更に切手用海綿部２６に水分を含ませ、クリップ収納部（凹部）２２１ｂには、クリップを収納し、ペン立て部２２４にペンＣを差し入れ、用紙差込み保持部２２５には、適宜大きさのメモ用紙Ｄを挟み入れておくと、テープカッターとして使用されるほか、卓上用多用途器具として使用できるものである。
【００２５】
尚前記実施形態は本体２全体を中空体として形成したが、本体の安定性が確保できるのであれば、本体下方部のみや、側壁部のみ等を中空体としても良い。
【図面の簡単な説明】
【００２６】
【図１】本考案の全体の分解斜視図。
【図２】同注水部の説明図（断面図）。
【図３】同使用状態の説明図（全体斜視図）。
【符号の説明】
【００２７】
１            テープ支持部
１１          周板部
１２          回転軸
２            本体
２１          収納溝
２２ａ，２２ｂ  側壁部
２２１ａ        凹部（海綿部収納部）
２２１ｂ        凹部（クリップ収納部）
２２３          磁石
２２４          ペン立て部
２２５          用紙差し込み保持部
２２６          Ｌ溝
２３            後壁部
２４            前壁部
２５            注水部
２５１          注水口
２５２          開閉蓋
２５３          密封パッキン
２６            切手用海綿部
２７            足部
３              切断部
３１            テープ受け部
３２            切断刃
【図１】
0003108757.tif 000003
【図２】
0003108757.tif 000004
【図３】
0003108757.tif 000005